(57)【要約】      （修正有）【課題】（イ）お玉を差し込まない時、隙間が出来、埃が侵入し、保温性に欠けていた。（ロ）鍋の大きさに対応しているので、一つの鍋にしか利用出来なかった。（ハ）お玉置きを使うと邪魔になり汚れ物が増え、不潔である。（ニ）鍋側の縁に切り込みを有するため、煮炊きに問題が生じる。（ホ）蓋を有さず炒め物やねり物をそのままで放置するしかないフライパン、鍋、ボール等がある。これらの問題点を解決する。【解決手段】任意の鍋を塞ぐ天板２と該天板２周縁から垂下するように設けられた側面部１と、該側面部１の一部に取り付けられた状態で片手あるいは両手鍋の柄が収まるように、設けられた切り込み４とよりなる。【選択図】図１
2005192971.tif 000002
【特許請求の範囲】
【請求項１】
任意の鍋を塞ぐ天板と該天板周縁から垂下するように設けられた側面部と、該側面部の一部に取り付けられた状態で片手あるいは両手鍋の柄が収まるように、設けられた切り込みとよりなる、防菌用の蓋。
【発明の詳細な説明】
【技術分野】
【０００１】    本発明は蓋のない調理容器のラップ代わり、あるいはお玉等を入れたままの、鍋、ボール、中華鍋、フライパン等の防菌を必要とする際に使用する、又は、ストローの差し込まれたコップ、スプンの差し込まれたカップや砂糖壺等の口部を塞ぐ、防菌用の蓋に関するものである。
【背景技術】
【０００２】    従来、蓋上面周縁の一部が上部に向け隆起しその側面部が開いている構造の蓋がある。また蓋部の鍋の口部より鍋内に入る周縁部に、お玉の柄が入る切り込みを有する蓋がある。鍋に蓋を被せた時に同じ位置で合わせられるように、互いに対応するように鍋と蓋に切り込みを設けたものがある。独立したお玉置きがある。
［特許文献１］特開平８−１８７１６４
［特許文献２］実用開昭６１−１７７５５１
［特許文献３］実開平６−３１６２７
［特許文献４］実用開平１０第３０５３２４１
［特許文献５］実用開平１０第３０４４６７６
【発明の開示】
【発明が解決しようとする課題】
【０００３】    そのために次のような問題点があった。
（イ）お玉を差し込まない時、隙間が出来、埃が侵入し、保温性に欠けていた。
（ロ）鍋の大きさに対応しているので、一つの鍋にしか利用出来なかった。
（ハ）お玉置きを使うと邪魔になり汚れ物が増え、不潔である。
（ニ）鍋側の縁に切り込みを有するため、煮炊きに問題が生じる。
（ホ）蓋を有さず炒め物やねり物をそのままで放置するしかないフライパン、鍋、ボ        ール等がある。
本発明はこれらの問題点を解決するためになされたものである。
【課題を解決するための手段】
【０００４】    任意の鍋を塞ぐ天板と該天板周縁から垂下するように設けられた側面部と、該側面部の一部に取り付けられた状態で片手あるいは両手鍋の柄が収まるように、設けられた切り込みとよりなる。
【発明の効果】
【０００５】    天板が持ち上がった状態で発生する隙間を側面部が塞ぐので、衛生的である。
お玉を入れたまま蓋が出来る。お玉の柄の幅のみ蓋は持ち上がるだけになる。
お玉が入っていない時、密閉出来る。
口部サイズが当発明以内の鍋に対してはフリーサイズとなり、その大きさ以内の他の鍋にも使用出来る。
砂糖壺や飲みかけのジユースの入ったコップ等の器についても、同様のことが言える。
【発明を実施するための最良の形態】
【０００６】    以下、本発明の実施の形態について説明する。
先ず、第１の実施状態を、図１〜図３を用いて説明する。
図１ａのように、使用対象とする鍋類の口部以上の広さの円形の天板部（２）を用意する。該天板の縁（３）より下方へ壁部（１）が一体に設けられている。片手鍋用切り込み（４）が下辺側から一個所設けられている。壁部において、片手鍋用切り込みを有する位置は天板と直角程度に形成され、その他の個所の壁部は下方に向かうにつれて広がった形状からなっている。ｂはこの底面側からの斜視図である。
本発明は以上の構成で、その使い方を説明する。
図３は、片手鍋用切り込みで片手鍋の取って（７）の根元を挟むようにして当発明を被せた図で、ａはその時の側面図であり、ｂは斜視図である。お玉（６）が中にある時は片手鍋の取っての上にお玉の柄を載せ、お玉と取っての両方を挟むようにして、蓋を被せる。この際、取ってに被せた側は持ち上がり傾斜した状態となるが、蓋の持ち上がりによって生じる鍋と蓋の隙間は壁部により閉ざされる。また、片手鍋用切り込みを有する位置以外の壁部は下方へ広がっているため、蓋が傾斜しても、壁部が鍋側面にあたらず安定した状態を維持する。材質によっては煮炊きの際にも使用することが出来、熱さを避けるためにつまみ（５）を設けたい場合は、重さのバランスがとれる個所を選ぶ。【０００７】    異なる切り込みの事例について、図４，図５を用いて説明する。
図４ａに示す側面図、ｂに示す底面側からの斜視図のように、天板部（２）において、片手鍋用切り込み（４）のある側からの直径に直交する方向の壁部（１）の２個所に、両手鍋用切り込み（８）を加えたものである。
使い方は図５ａのように、両手鍋用切り込みを、両手鍋の取って（９）に被せればよい。ｂはお玉（６）の柄を片手鍋用切り込みに差し込んだ使用例で、お玉の柄を両手鍋の取っての中間にもたれかけた状態にし、そこに片手鍋用切り込みを当てて被せる。【０００８】    次に以下、第２の実施状態を図６を用いて説明する。
これは、片手鍋用切り込みの対向する方向に向け、壁部（１）の高さ幅を次第に狭めたものである。これに、よりずれにくくするために壁部幅をもっとも狭めた位置側の天板に、突起状のストッパー（１０）を斜め下向きに壁部幅以内で設けた。壁部に片手鍋用切り込み（４）が下辺側から一個所設けられ、この片手鍋用切り込みを有する位置は天板部と直角程度に形成され、その他の個所の壁部は下方に向かうにつれて広がった形状からなっている。天板部（２）において片手鍋用切り込みのある側から直径に直交する方向の壁部の２個所に、両手鍋用切り込み（８）を加えたものである。壁部下端が斜めなので切り込みは浅いものとなる。
使い方は、片手鍋用切り込みで片手鍋の取って（７）の根元を挟むように、又はお玉（６）があれば両方を挟むように当発明を被せる。ａはその側面図、ｂは斜視図である。【０００９】    以下、天板部が凹み又は窪みを有する場合を、図７，図８を用いて説明する。
図７について説明する。
これは天板部（２）に、深さは壁部幅以内、径は使用したい鍋の口部以内とする、凹み部（１１）を有するもので、第１の形態の発明に凹みの底を水平に設けた場合の、ａは斜視図、ｂは底面側からの斜視図である。
図８について説明する。
これは天板部の片手鍋用切り込みのある側の縁（３）に併行するように、一番深い個所が壁部幅以内の窪み部（１２）を設ける。第２の形態の発明に窪みの底を壁部の下端に添わせ斜めに設けた場合の図である。
図７，図８共に、使い方は、片手鍋の取ってに片手鍋用切り込みを被せながら、凹み又は窪みを鍋内に入れる。凹み部又は窪み部が鍋内に向け凸状となって、ストッパーの機能をより有することになる。【０００１０】    図９、図１０、図１１について説明する。
偏心した位置に頂点が来るように天板部（２）が膨らみを有するもので、その偏心側につかみ部（１３）を設けている。これはより掴み易くするためのものなので、握りやすい大きさの突き出し状になってもよい。図９ａはお玉（６）を差し込んだ側面図、ｂは断面図である。図１０は図９を片手鍋用切り込み（４）のある側からみた図で、ａはお玉を差し込んでいない状態、ｂはお玉（６）を差し込んだ状態を示している。図１１ａはつかみ部の位置を示した平面図である。ｂは底面図で突起（１４）の位置を示したが、これはつかみ部より反対側端部に任意の幅で段状で複数個設ける。
使い方はこれまでの場合と同様で、両手鍋用取ってに両手鍋用切り込みを被せる。鍋に被せた時、突起の位置は自然に選択されている。【０００１１】    図１２は鍋以外を対象とする使い方を示したものである。コップ（１５）等にストロー（１６）を差し込んだまま放置するような時に使用する。
尚、片手鍋用と両手鍋用の切り込みについて、両方を設ける場合、便宜上、片手鍋用切り込みと同様の切り込みを十文字の位置の４個所に設けても構わないことを付け加える。この場合、天板部と壁部との交叉角度は全ての位置で鈍角である。取ってをどの切り込みで挟んでもよいという使い方となる。その他の使い方として、スプンの入ったカップや砂糖壺を覆うようなことも考えられる。
【図面の簡単な説明】
【０００１２】
【図１】    本発明の上面と底面を示す、斜視図である。
【図２】    本発明の平面図と底面図である。
【図３】    本発明の側面図と斜視図である。
【図４】    本発明の側面図と低面側からの斜視図である。
【図５】    本発明の片手用切り込み側からの側面図である。
【図６】    本発明の側面図と斜視図である。
【図７】    本発明の上面と底面を示す、斜視図である。
【図８】    本発明の斜視図である。
【図９】    本発明の側面図と断面図である。
【図１０】    本発明の片手用切り込み側からの側面図である。
【図１１】    本発明の平面図と底面図である。
【図１２】    本発明の使用図である。
【符号の説明】
【０００１３】    １  壁部                      ２  天板部                ３  天板の縁
４  片手鍋用切り込み          ５  つまみ                ６  お玉
７  片手鍋の取って            ８  両手鍋用切り込み      ９  両手鍋の取って
１０  ストッパー              １１  凹み部              １２  窪み部
１３  つかみ部                １４  突起                １５  コップ
１６  ストロー
【図１】
2005192971.tif 000003
【図２】
2005192971.tif 000004
【図３】
2005192971.tif 000005
【図４】
2005192971.tif 000006
【図５】
2005192971.tif 000007
【図６】
2005192971.tif 000008
【図７】
2005192971.tif 000009
【図８】
2005192971.tif 000010
【図９】
2005192971.tif 000011
【図１０】
2005192971.tif 000012
【図１１】
2005192971.tif 000013
【図１２】
2005192971.tif 000014